(57)【要約】      （修正有）【課題】風力により複数のコイのぼりを動ごかし（上・下動）、その際互に影響し合い乍ら種々なる動きを生じさせる鯉のぼりを提供する。【解決手段】風により風車２の回転によりガイドレール１６内の回転レバーによって、複数のコイのぼりに動きが伝へられ、時には互に影響し合い乍ら運動を行わせながら、自動で上下運動をおこなわせる。【選択図】図２
2006034907.tif 000002
【特許請求の範囲】
【請求項１】
風により動力源の風動機（風車）を回転させ、その力により鯉のぼりに上り・下り運動等を行わせるものである。
【請求項２】
上り詰めた鯉のぼりは他鯉（本項では３本）の一連の機械的関連作動により再度地面に戻され、その後又上り運動を行うもので、これらの動きを３本の鯉が交互に行うシステム。尚、一連の作動力源はすべて風力によるものである。
【請求項３】
前１〜２項の運動に適した鯉のぼりの形状（別紙図面通り）
【発明の詳細な説明】
【発明の詳細な説明】
【技術分野】
【０００１】本発明は鯉のぼり（以下“コイのぼり”と記す）に上り・下りの作動機能をもたせたものである。この一連の動きは３本のコイのぼりが互に影響し合い乍ら行われるものである。この運動は全て風力を利用したものであり、従って動きも風向及び風力により一定ではないが、風の状態により種々なるコイの動きが見られる楽しい“コイのぼり”に関するものである。
【背景技術】
【０００２】本発明の「コイのぼり」に“動き”を与えるという発想は今日まで見られなかった。もともと“コイのぼり”という物は形の大・小は見られたものの、いわゆるあくまでも幟の一種として観られていたものであり、従ってそれらは固定された物として「端午の節句」にセットされるものであった。そのため今までの鯉幟には“技術”というものを必要とする個所は不要であったと思われる。強いて従来の技術と云えば、それは「固定式」のものであったとしか述べる他はない。【０００３】
【特許文献】
【非特許文献】いずれも該当する文献見当らず。
【発明が解決しようとする課題】
【０００４】先記の通り「コイのぼり」は端午の節句の際、男子の元気な生長を願うための幟の一種として永年見慣れて来た様に、棒の先端部に“コイのぼり”をセットし、それらが空中で泳ぐ姿を観て人々は満足していたものである。それ故、この法には何らの問題もなく『解決しようとする課題』は存在しなかったものと思われる。従って本発明は従来の物の問題（難点）を解決しようとするものではなく、まったく異分野における「コイのぼり」を手掛けたものである。
【課題を解決するための手段】
【０００５】〔０００４〕中で述べた通り、本システムは従来のものと全く別種のものであるため、それに対する「課題」及び「手段」は見出せない。然し、新分野における“コイのぼりの課題”は存在するものである。即ちコイのぼりに動き（主として上・下動）を与えるというものである。ここにおいて、この課題を解決するための手段は単に風力により風車（風動機）を回転させ得られた動力によるものである。この風動力により複数（本ケースは３本）の鯉単独の動きと互に影響を及ぼし合い乍らの運動が不規則的に組合わされ種々なる様子が表現されるものである。
【発明を実施するための最良の形態】
【０００６】ここで本発明の実施の形態を述べる。本発明は風力により得られた動力により鯉のぼり（以下“コイのぼり”と記す）に動きを与えるシステムであることは既述の通りである。このコイのぼりの機構は複数例のコイのぼりシステム（今回は３列）を組合せることにより様々な動きが見られ，従来にない楽しさと面白さが見られるものでその様子は〔図１〕及び〔図２〕に示す通りである。その動きは各列独自のものと隣列の動きを受け行われるものとの組合せによりコイのぼりの運動が見られるものである。これら鯉の始動の源力は本装置のトップにセットされている４枚の花弁〔（３）以下花びらと記す〕が風力及び風向により開・閉をくり返すことによりその力を最終的に各コイのぼりに伝へコイのぼりの種々なる様子が見受けられるものである。又、本装置の他の大きな特徴に花びらの中央に可動式シンボル〔本装置には黄金珠をくわえた鯉が飛び跳ねた状態（４）〕を設け、４枚中任意の１枚の花びらと組合せ、その花びらの動きにより同シンボルに上下動を行わせることでありその様子は〔図６〕に示す通りである。この花びらの開閉の中で鯉が上下（飛び跳ねる）する様子はより一層の楽しさを人々に与えるものである。ここでコイのぼりの動きの概要を説明し、後にその詳細を加える。コイのぼり（Ａ、Ｂ、Ｃ）の運動は何れも地面より始まることにする。地面にあるコイのぼりを風動機（２）（以下風車と記す）により得られた力により上空へと持ち上げ始めそれがほぼ最上部で水平状態になるまで泳ぎながら引き上げられ、他列の影響を受け、ストッパー（１７）が解除され、この鯉は再び地面に戻るものである。本装置はこのコイのぼりを３本組合せ、それぞれを３枚の花びらと結び、それらは風の方向、強弱により多様な動きで多くの楽しみを与えてくれるものである。その関連図は〔図２〕、〔図６〕、〔図７〕の通りである。これより図面に基づきコイのぼりの詳細説明を加えることにする。先ずそれぞれ３本のコイのぼりは地面に休んでいるものとする。即ちスタート待ちの状態である。次に風が発生しイヨイヨコイのぼりの運動開始となる。風により風車（２）の回転が始まる。この風車はあらゆる方向の風を受けるため極端な無風状態でない限り常にその回転運動は行われている。この回転をギアーシステム（９）にて回転方向を変え伝動歯車（１０）も回転を保つものである。この風車（２）内部状態又、その形状寸法等については種々なる物が考えられるためそれらは不記とする。この伝動歯車（１０）に受動車（１１）が触れることによりはじめて鯉の上り運動が可能となるものである。この受動車の接触作用は既述の通り風車（２）上にセットされている花びら（３）の動ごきによりなされるものであり、花びらの動きは風の方向、強弱により変化するものである。４枚の花びら中３枚はそれぞれ３本のコイのぼり受動車（１１）のもので、残り１枚はシンボル（４）にセットされているものである。これら受動車及びシンボルは花びらと連動し、各々独立運動が行われるため、従ってコイのぼりの運動にもおのずと差が見られるものである。ここで伝動歯車（１０）及び受動車（１１）の表面形状及び材質に関して述べる。〔図４〕に示す通り伝動歯車（１０）は多溝付ゴム材を表面に巻き、一方受動車（１１）は厚目のスポンジ状の材質を取り付け両者の接触時鯉のぼり用ロープ（１４）を引く際に必要とされる摩擦抵抗の増大を計るものである。最後にコイのぼりの運動に説明を加える。通常は花びら（３）は何れも“開”の状態を保つべく製作されている。４枚中１枚はシンボル（４）用で３枚はコイのぼり用であることは既述の通りである。従って、この３枚と関連するコイのぼり３本（Ａ、Ｂ、Ｃ）に関し説明を行うが、この３本は動きが同じためコイのぼりＡを代表に説明を加える。始めに本装置のために考案した新コイのぼりに関し述べる。この新コイのぼりは〔図８〕及び〔図９〕より判明可能であるが、外見は従来の物とは全く異なりいわゆる一般の魚的外見であり、特にその口（３０）、尾（３３）にも特徴が有り何よりもその側面、及び腹部に空気取れ口（３１）を設けたことである。さて、ここで口部（３０）及び尾部（３３）に関し追加的説明を加える。先ず口部に関してであるが、従来のものはほぼ円形でそれをほぼ垂直に使用されているが、今回のそれはその円形口下部１／３の所（両端）を９０度に折り曲げそれをα度・下向きにしセットするものである。この様子は〔図８〕に示す通りでありα角度はほぼ２４度が最良と思われる。次に尾部（３３）であるが〔図９〕に示す通りその空気出口はコイのぼり本体に比べ極端に細くしぼり、かつそれを上下２口に分離するものである。尚各部の詳細寸法等は現在の所未定であるが、その形状〔図９〕を保つもので充分と思われる。次にこのコイのぼりを上方へ登らせるためのセット法に説明を加える。先ずコイのぼりの口の４ヶ所（上・下・左・右）にヒモを付け、口の所定角度が得られる様調整し、口ヒモ束ね玉（１５）に結び付けガイドレール（１６）内部のローラーに取付ける。次にコイのぼりの腹部のほぼ中間にコイのぼり達が互いに絡まない程度のひも（６）も他のローラーに取付け乱泳の防止策とする。この様子は〔図２〕に示す通りである。このセットされたコイのぼりは風により花びら（３）が動き、ロープ引上げ板（２７），受動車調整レバー（２１）を引き上げ、受動車（１１）を伝動歯車（１０）に接触させコイのぼりの引上げを行うものである。この調整レバー（２１）の動きはその可動式基盤（２２）をベースに行われるもので後に述べる同基盤が移動しこの凹部にレバー（２１）が入れば受動車（１１）の伝動歯車（１０）への接触は不可能である。尚、調整レバー（２１）は花びら（３）からの引張りがなければ、常に受動車（１１）は下部にあり伝動歯車（１０）に関係なく、いわゆるＯＦＦの状態を保つものである。即ち調整レバー（２１）は車のクラッチ的存在である。その様子は〔図４〕に示す通りである。コイのぼりの運動が続きほぼ横向きになる所〔〔図３〕のａ点〕でコイのぼり用特殊レバー（７）の最上部にコイのぼり口ひも束ね玉（１５）が当たりガイドレール（１６）にそって運動を続けるものである。この特殊レバー（７）の頭部はコイのぼりロープ（１４）を通すため中空部を設けるものである。このレバー（７）の下部にはコイのぼり（Ｂ）のストップ解除棒（１８）との連絡シャフト（２０）を設けレバー（７）ａ点よりｂ点の間でＢコイのぼりのストップ解��カム（１９）を動かしＢコイは運動を解除され地面に下りはじめるのである。この動きが見られる前には既に受動車調整レバーの可動式基盤（２２）にそのストッパー（２４）が作動しているという前提条件が必要である。この特殊レバー（７）と連絡シャフト（２０）の関係はそれぞれＡからＢ、Ｂ→Ｃ、Ｃ→Ａとなっているものである。特殊レバー（７）がｃ点よりｄ点に移る間、受動車調整レバー可動式基盤（２２）が押されそのストッパー（２４）が作動し受動車調整レバー（２１）はその凹に入り、直ちに受動車（１１）の動きは中止状態になる。その後Ｃコイのぼりの特殊レバー（７）によりＡコイの受動車逆転防止ストッパー（１７）が解除されるとＡコイは地面に向け下りはじめ、地面寸前の所で鯉ロープ（１４）に取付けてある可動式基盤ストッパー解除傘（２５）が働きその調整バネ（２３）により関係機構及びコイのぼりは元の位置に戻るものである。この一連の動きが３本のコイの組合せで楽しむことが出来るものである。
【発明の効果】
【０００７】本発明は従来のコイのぼり（固定式）に動きを与えた新しいコイのぼり（装置）であることは既述の通りである。このシステムは数本のコイのぼり（本ケースは３本）を組合せることにより従来にない動きが多く観られることである。風の方向、強弱により様々な動きが見られ大変興味深いもので、従来のコイのぼりに対する固定観念を大巾に変え、「端午の節句」（子供の日）のイメージに多大な変化を与えるものと思われる。この発明の初期的段階として、その規模は飽くまで一般家向けの物を考えているが、コイのぼりの大形化、又本数の増加、これらに関して花びらの形、数、中央シンボルの多種化により、子供達のみならず大人達も大いに楽しむことができるものと確信する。又このコイのぼリシステムはビル、塔など高建物に取付け種々なる宣伝手段としても使用可能ではないかと思われる。
【図面の簡単な説明】
【０００８】
【図１】「無風状態における鯉のぼり（Ａ、Ｂ、Ｃ）を示した図面である」
【図２】「風が生じ、運動中の鯉のぼりを示した図面である」
【図３】「鯉のぼりを動かすためのメカニズムを示した側面図である」
【図４】「鯉のぼり運動（巻き上げ及びストップ）を行わせる部分を示す拡大側面図である」
【図５】「図４」の裏側（鯉のぼりの反対側）を示す図面である
【図６】「風車（風動機）及びその上の花びら、及びシンボルの動きを示す図面である」
【図７】「鯉レバーの動きと隣列の鯉の戻り防止ストッパーとの関連を示す図面である」
【図８】「本装置にマッチした新しい鯉のぼりの口を示す図面である」
【図９】「新しい鯉のぼりの形（側面、腹部）を示す図面である」
【符号の説明】
【０００９】１は鯉のぼり２は風動機（風車）３はシンボル及び、受動車調整レバー始動用花弁（花びら）４はシンボル５は伝動歯車回転シャフト６は鯉のぼりの乱泳防止ロープ７は鯉のぼり用特殊レバー８は風力により生じた力を伝動歯車に伝へるシャフト９は風車の回転変更を行うギャーシステム１０は伝動歯車１１は受動車１２は受動車サポーター１３は受動車逆転防止歯車１４は鯉のぼり用ロープ１５は鯉のぼり口ひも束ね玉、下部（ガイドレール内）ローラ付１６は特殊ガイドレール１７は受動車逆転防止ストッパー１８は受動車逆転防止ストップ解除棒１９はストップ解除棒作動用カム２０は鯉のぼり用特殊レバーから隣列のストップ解除棒カムへの連絡シャフト２１は受動車調整レバー２２は受動車調整レバーの可動式基盤２３は可動式基盤調整バネ２４は可動式基盤ストッパー２５は可動式基盤ストッパー解除傘２６は受動車調整レバー引張りロープ２７は（２６）引張りロープ用引上げ板２８は花びらストッパー２９はシンボル上・下作動棒３０は新形鯉のぼりの口３１は新形鯉のぼりの空気取入れ口３２は新形鯉のぼりの空気取入れ口の逆止弁３３は新形鯉のぼりの尾
【図１】
2006034907.tif 000003
【図２】
2006034907.tif 000004
【図３】
2006034907.tif 000005
【図４】
2006034907.tif 000006
【図５】
2006034907.tif 000007
【図６】
2006034907.tif 000008
【図７】
2006034907.tif 000009
【図８】
2006034907.tif 000010
【図９】
2006034907.tif 000011